(57)【要約】【課題】本発明の目的は、リング・バインダを操作しなくてもリング・バインダへの出し入れが容易である、着脱自在なホールディング・デバイスを提供することである。【解決手段】本発明は、リング・バインダに応用される着脱自在なホールディング・デバイス２０に関する。この着脱自在なホールディング・デバイス２０は、シートの第１のエッジに位置する第１の複数のスリット付穿孔２６を有し、リング・バインダを操作しなくても当該シートを該リング・バインダに圧入又は当該シートを該リング・バインダから引き出すことが出来る第１のシート２１と、この第１のシート２１の第２のエッジから延び、前記リング・バインダを通すための第２の複数の穿孔２７を有する第２のシート２２とを備えてなる。【選択図】　　図２
2004025541.tif 000002
【特許請求の範囲】
【請求項１】
リング・バインダに応用されるホールディング・デバイスであって、
シートの第１のエッジに位置する第１の複数のスリット付穿孔を有し、リング・バインダを操作しなくても当該シートを該リング・バインダに圧入又は当該シートを該リング・バインダから引き出し可能な第１のシートと、
この第１のシートの第２のエッジから延び、前記リング・バインダを通すための第２の複数の穿孔を有する第２のシートと
を備えてなることを特徴とする着脱自在なホールディング・デバイス。
【請求項２】
前記第１の複数のスリット付穿孔及び前記第２の複数の穿孔は、着脱自在なホールディング・デバイスの対向するエッジ上に位置づけられていることを特徴とする請求項１に記載の着脱自在なホールディング・デバイス。
【請求項３】
前記第１のシートが、前記リング・バインダに圧入又はそれから引き出される時、前記第２の複数の穿孔は、該リング・バインダが通されたままであるとともに、第２のシートは、当該リング・バインダにより保持されたままであることを特徴とする請求項１に記載の着脱自在なホールディング・デバイス。
【請求項４】
前記第２のエッジにスパイン・デバイスが形成されていることを特徴とする請求項１に記載の着脱自在なホールディング・デバイス。
【請求項５】
リング・バインダに応用されるホールディング・デバイスであって、
第１のエッジに位置した第１の複数のスリット付穿孔を有する第１のシートと、
前記第１のシートにおける第２のエッジから延び、第２の複数のスリット付穿孔を有する第２のシートと、を備えてなり、
前記第１及び第２の複数のスリット付穿孔は、それぞれ前記着脱自在なホールディング・デバイスの対向するエッジ上に位置することにより、前記リング・バインダを操作しなくても、前記着脱自在なホールディング・デバイスに圧入又はこのリング・バインダから該着脱自在なホールディング・デバイスを引き出せることを特徴とする着脱自在なホールディング・デバイス。
【請求項６】
前記第１及び第２のシートは、それぞれ前記リング・バインダに圧入又はこのリング・バインダから引き出されることを特徴とする請求項５に記載の着脱自在なホールディング・デバイス。
【請求項７】
前記第２のエッジにスパイン・デバイスが形成されていることを特徴とする請求項５に記載の着脱自在なホールディング・デバイス。
【発明の詳細な説明】
【０００１】
【発明の属する技術分野】
本発明は、リング・バインダに用いられる着脱自在なホールディング・デバイスに関し、特に、操作しなくても容易にリング・バインダに出し入れ出来るホールディング・デバイスに関する。
【０００２】
【従来の技術】
図１（ａ）は、リング・バインダに固定される従来のホールディング・デバイスの内部を示す図である。図１（ｂ）は、リング・バインダに固定される従来のホールディング・デバイスの外観を示す図である。図において、ホールディング・デバイス１０は、第１のシート１１と、第２のシート１２と、第１のインナー・シート１３と、第２のインナー・シート１４と、複数の穿孔１６とを含んでいる。このホールディング・デバイス１０は、第１及び第２のインナー・シート１３及び１４中にそれぞれ物品１５を保持することが出来る。そして、複数の穿孔１６は、それぞれホールディング・デバイス１０の第１及び第２のシート１１，１２のＡエッジ付近に配置され、これらにリング・バインダ（図示せず）を通すことによりホールディング・デバイス１０が、固定される。
【０００３】
しかしながら、この状態において、ホールディング・デバイス１０がリング・バインダにより固定された場合、使用者は、ホールディング・デバイス１０を取り出すためには、必ず当該リング・バインダを操作しなければならい。しかも、複数の穿孔１６が第１のシート１１及び第２のシート１２を接続したＡエッジに穿設されていることから、該ホールディング・デバイス１０がリング・バインダにより固定されているとき、エッジＢ及びＣを上手に近づけられないであろうし、エッジＢ及びＣが開き状態を呈するであろう。また、この開き状態のために、該ホールディング・デバイスを移動する時、特に、Ａエッジに手を当ててホールディング・デバイス１０を移動させると、該ホールディング・デバイス１０に置かれた物品１５が滑り出してしまうということがある。
【０００４】
【発明が解決しようとする課題】
従って、本出願人は、上記先行技術の欠点を鑑みて、鋭意試験と研究とを重ねた結果、ついに本発明の着脱自在なホールディング・デバイスを案出した、
本発明の主たる目的は、リング・バインダを操作しなくてもリング・バインダへの出し入れが容易である、着脱自在なホールディング・デバイスを提供することにある。
【０００５】
本発明の他の目的は、複数のスリット付穿孔が、それぞれ第１及び第２のシートのエッジに配置されることにより、リング・バインダを操作しなくても容易に当該リング・バインダを出し入れさせる、着脱自在なホールディング・デバイスを提供することである。
【０００６】
また、本発明の他の目的は、複数のスリット付穿孔がシートのエッジに位置し、リング・バインダを操作しなくても当該シートを該リング・バインダに圧入又は当該シートを該リング・バインダから引き出せる第１のシートと、この第１のシートの第２のエッジから延び、該リング・バインダを通すための複数の穿孔を有する第２のシートとを備えてなる、着脱自在なホールディング・デバイスを提供することにある。
【０００７】
【課題を解決するための手段】
上記目的を達成するための本発明に係る着脱自在なホールディング・デバイスは、リング・バインダに応用されるホールディング・デバイスであって、
シートの第１のエッジに位置する第１の複数のスリット付穿孔を有し、リング・バインダを操作しなくても該シートを該リング・バインダに圧入又は当該シートを該リング・バインダから引き出すことが出来る、第１のシートと、
この第１のシートの第２のエッジから延び、当該リング・バインダを通すための第２の複数の穿孔を有する第２のシートと
を備えてなることを特徴とする。
【０００８】
また、前記第１の複数のスリット付穿孔及び前記第２の複数の穿孔は、着脱自在なホールディング・デバイスの対向するエッジ上に位置づけられ得る。
【０００９】
また、前記第１のシートが、前記リング・バインダに圧入又はそれから引き出される時、前記第２の複数の穿孔は、該リング・バインダが通されたままであるとともに、第２のシートは、当該リング・バインダにより保持されたままであり得る。
【００１０】
前記着脱自在なホールディング・デバイスは、ファイル、文書バッグ、及び日記帳のいずれかであり得る。
【００１１】
また、前記着脱自在なホールディング・デバイスは、ポリプロピレン（ＰＰ）ファイル及び紙質のファイルのうちのいずれかであり得る。
【００１２】
また、前記第１のシートは、さらに第１のインナー・シートを備え得る。
【００１３】
また、前記第２のシートはさらに第２のインナー・シートを備え得る。
【００１４】
また、記第２のエッジにスパイン・デバイス（ｓｐｉｎｅ　ｄｅｖｉｃｅ）が形成され得る。
【００１５】
また、前記スパイン・デバイスは、前記着脱自在なホールディング・デバイスを標記するためのラベルが貼付られ得る。
【００１６】
上記目的を達成するための他の発明である着脱自在なホールディング・デバイスは、リング・バインダに応用されるホールディング・デバイスであって、
第１のエッジに位置した第１の複数のスリット付穿孔を有する第１のシートと、
第１のシートにおける第２のエッジから延び、第２の複数のスリット付穿孔を有する第２のシートと、を備えてなり、
前記第１及び第２の複数のスリット付穿孔は、それぞれ前記着脱自在なホールディング・デバイスの対向するエッジ上に位置することにより、前記リング・バインダを操作しなくても、前記着脱自在なホールディング・デバイスに圧入又はこのリング・バインダから該着脱自在なホールディング・デバイスを引き出せることを特徴とする。
【００１７】
前記着脱自在なホールディング・デバイスは、ファイル、文書バック、及び日記帳のいずれかであり得る。
【００１８】
また、前記第１のシートは、さらに第１インナー・シートを備え得る。
【００１９】
また、前記第２のシートは、さらに第２のインナー・シートを備え得る。
【００２０】
また、前記第１及び第２のシートは、それぞれ前記リング・バインダに圧入又はこのリング・バインダから引き出し可能であり得る。
【００２１】
また、前記第２のエッジにスパイン・デバイスが形成され得る。
【００２２】
前記スパイン・デバイスには、前記着脱自在なホールディング・デバイスを標記するためのラベルが貼付られ得る。
【００２３】
要するに、上記着脱自在なホールディング・デバイスは、第１のシート及び第２のシート上の複数のスリット付穿孔により、リング・バインダやそれに類似した構造を有する装置に用いられる。また、該着脱自在なホールディング・デバイスは、使用者の別に応じて変化することも可能である。従って、シート数を増加することが出来ると共に、不同な方向に延びることが出来、複数のスリット付穿孔は、リング・バインダの別によりその穿孔数を変えることが出来る。
【００２４】
【発明の実施の形態】
以下、添付図面を参照しながら本発明の最良の実施の形態について説明する。
【００２５】
図２（ａ）は、本発明に係る着脱自在なホールディング・デバイスの内部を示す図であり、図２（ｂ）は、このホールディング・デバイスの外観を示す図である。これらの図２（ａ）、（ｂ）において、着脱自在なホールディング・デバイス２０は、第１のシート２１と、第２のシート２２と、第１のインナー・シート２３と、第２のインナー・シート２４と、複数のスリット付穿孔２６と、複数の穿孔２７とを備えている。また、参照符号２５は、物品であり、第１のインナー・シート２３及び／又は第２のインナー・シート２４により該ホールディング・デバイス２０内に保持され得る。特に、当該複数のスリット付穿孔２６及び複数の穿孔２７は、それぞれホールディング・デバイス２０のエッジＢ及びエッジＣに配置されており、この点において、図１（ａ）及び図１（ｂ）に示した従来のホールディング・デバイスと相違している。ここで重要なのは、該複数のスリット付穿孔２６は、リング・バインダ（図示せず）を操作する代わりに、それ自体のスリット２６２を介して、ワンタッチでリング・バインダを通すことができることである。また、スリット２６２は、着脱自在なホールディング・デバイスの穿孔２６１とエッジＢとの間を連通しているので、使用者が第１のシート２１をリング・バインダから取り出し、又はそれに圧入する場合に、リング・バインダを操作する必要がなく、そのまま当該リング・バインダから取り出し、又はそれに圧入すればよい。言うなれば、ホールディング・デバイス２０は、エッジＢ及びＣを通して固定されているので、第１のインナー・シート２３及び／又は第２のインナー・シート２４により内部に保持されている物品２５は、使用者がエッジＡ、Ｂ、及びＣのいずれに手を当てて該ホールディング・デバイス２０を持ち動かすかを問わず、滑り出すことがない。
【００２６】
次に、図３（ａ）乃至図３（ｃ）は、本発明に係る複数のスリット付穿孔の好適な種々の実施の形態を示す図である。上記図に示すように、穿孔の形状は、円形、矩形、又はリング・バインダへを通すのに適したいかなる形状にすることが出来る。同時に、該スリットの設計も需要の相違により変形され得る。例えば、図３（ｃ）に示すように、シートが該リング・バインダから滑り出す困難度を向上させるために折り曲げ形状に設計されている。さらに、図４（ａ）乃至図４（ｃ）は、本発明に係る複数のスリット付穿孔及び複数の穿孔の数量を示す好適な種々の実施の形態である。複数の穿孔４１１、４２１並びに４３１、及び複数のスリット付穿孔４１２，４２２，並びに４３２は、それぞれ着脱自在なホールディング・デバイス４１，４２，４３上に位置しており、両者の穿孔数は、リング・バインダの別に応じて調整することが出来る。従って、基本的な前記３個の穿孔の以外に、２個（図４（ａ））、４個（図４（ｂ））又は３０個（図４（ｃ））の穿孔にしてもよいことはいうまでもない。
【００２７】
なお、図５（ａ）及び図５（ｂ）は、本発明に係る着脱自在なホールディング・デバイスの好適な実施の形態の内部及び外観を示す図である。これらの図に示すように、エッジＣにおける複数の穿孔（例えば、図２（ａ）及び図２（ｂ）に示すような穿孔）は、複数のスリット付穿孔５７に変形することが出来る。この場合、該着脱自在なホールディング・デバイス５０は、リング・バインダを操作する必要がなく、そのまま当該リング・バインダから取り出し又はそれに圧入する第１のシート５１及び第２のシート５２を備えている。これらの複数のスリット付穿孔５６及び５７は、エッジＢ及びエッジＣのみに配置され、そしてエッジＡには、ホールディング・デバイス５０を標記するためのスパイン・デバイス５８が形成されている。このスパイン・デバイス５８には、着脱自在なホールディング・デバイス５０を標示するラベルが貼付されてあり、これにより、該ホールディング・デバイス５０を開けなくとも第１のインナー・シート５３及び／又は第２のインナー・シート５４により内部に収容保持された物品５５を比較的便利に識別することが出来る。
【００２８】
さらに、図６は、本発明に係る文書バッグの好適な実施の形態を示す図である。図に示すように、該着脱自在なホールディング・デバイス６１は、内蔵のリング・バインダ６２に圧入することで、文書バッグ６０にセットされる。また、図７は、本発明に係る日記帳の好適な実施の形態を示す図である。図に示すのは、着脱自在なホールディング・デバイス７１が、日記帳７０にセットされる例である。このホールディング・デバイス７１の２シートに穿設された複数のスリット付穿孔７２は、該ホールディング・デバイス７１がリング・バインダに類似したバインダを通して日記帳７０にセットされやすいように形成されている。また、図において、スパイン・デバイス６４及び７３は、それぞれホールディング・デバイス６１，及び７１の接続エッジ状に設置され、内部にセットされている物品の標記に用いられる。
【００２９】
なお、図８（ａ）及び図８（ｂ）は、他の好適な種々の実施の形態を示す図である。これら図に示されるように、着脱自在なホールディング・デバイス８１及び８２には、複数のシートがあり、その数は２シートに限定されない。当然として、該ホールディング・デバイス８１及び８２のシート数は、場合により増加することが出来る。また図８（ａ）に示すように、増加されたシート８１３及び８１４は、第１のシート８１２より延び、そしてその複数のスリット付穿孔８１７及び８１８は、それぞれシート８１３及び８１４上でリング・バインダと、第２のシート８１１上にある複数の穿孔（又は複数のスリット付穿孔）８１５との位置に対応して位置づけられている。そして、各シート８１２、８１３，及び８１４のそれぞれに位置するスリット付穿孔８１６，８１７及び８１８によりホールディング・デバイス８１でのシート８１４のみ、又は全てのシート８１２，８１３及び８１４を、該リング・バインダを操作することなく容易に開くこと出来る。言うなれば、シート８１３及び８１４を増設したので、該ホールディング・デバイス８１内にセットされている物品８１２１及び８１４１がよりはっきり分類され得る。同時にスパイン・デバイス８１９をホールディング・デバイス８１上に形成させて、ホールディング・デバイス８１内部の内容の標記に使用される。
【００３０】
図８（ｂ）は、本発明に係る他の実施の形態を示す図である。図に示されるように、着脱自在なホールディング・デバイス８２は、図８（ａ）と違ったシート８２３，８２４があり、第２のシート８２１の上縁及び下縁より延び、接続されたシートである。そして複数のスリット付穿孔８２７及び８２８は、第２のシート８２１上の複数の穿孔（又は複数のスリット付穿孔）８２５の位置に対応して位置している。また、スパイン・デバイス８２９が着脱自在なホールディング・デバイス８２にその内部の内容を標記するために形成されている。
【００３１】
要するに、上記着脱自在なホールディング・デバイスは、第１のシート及び第２のシート状の複数のスリット付穿孔により、リング・バインダやリング・バインダに類似した構造を有する装置に用いられる。また、該着脱自在なホールディング・デバイスは、使用者の別に応じて変化することも可能である。従って、シート数を増加することが出来ると共に不同な方向に延ばすことが出来、複数のスリット付穿孔はリング・バインダの別によりその穿孔数を変えることが出来る。
【００３２】
さて、上記実施の形態は、本発明の技術的手段をより具体的に説明するために一例として挙げたものに過ぎず、当然、本発明の技術的思想は、これに限定されず、添付の特許請求の範囲を逸脱しない限り、当業者による単純な設計変更、付加、置換は、いずれも本発明の技術的範囲に属する。
【図面の簡単な説明】
【図１】図１（ａ）は、リング・バインダに固定される従来のホールディング・デバイスの内部を示す図である。図１（ｂ）は、リング・バインダに固定される従来のホールディング・デバイスの外観を示す図である。
【図２】図２（ａ）は、本発明の一態様に係る着脱自在なホールディング・デバイスの内部を示すである。図２（ｂ）は、本発明の一態様に係る着脱自在なホールディング・デバイスの外観を示す図である。
【図３】図３（ａ）は、本発明に係る複数のスリット付穿孔の好適な１つの実施の形態を示す図である。図３（ｂ）は、本発明に係る複数のスリット付穿孔の好適な別の１つの実施の形態を示す図である。図３（ｃ）は、本発明に係る複数のスリット付穿孔の好適なさらに別の１つの実施の形態を示す図である。
【図４】図４（ａ）は、本発明に係る複数のスリット付穿孔及び複数の穿孔の数量を示す好適な１つの実施例を示す図である。図４（ｂ）は、本発明に係る複数のスリット付穿孔及び複数の穿孔の数量を示す好適な別の１つの実施例を示す図である。図４（ｃ）は、本発明に係る複数のスリット付穿孔及び複数の穿孔の数量を示す好適なさらに別の１つの実施例を示す図である。
【図５】図５（ａ）は、本発明の他の態様に係る着脱自在なホールディング・デバイスの好適な実施の形態の内部を示す図である。図５（ｂ）は、本発明の他の態様に係る着脱自在なホールディング・デバイスの好適な実施の形態の外観を示すである。
【図６】図６は、本発明に係る文書バッグの好適な実施の形態を示す図である。
【図７】図７は、本発明に係る日記帳の好適な実施の形態を示す図である。
【図８】図８（ａ）は、本発明に係る他の１つの好適な実施の形態を示す図である。図８（ｂ）は、本発明に係る他のもう１つの好適な実施の形態を示す図である。
【符号の説明】２０、４１、４２、５０、６１、７１、８１，８２　ホールディング・デバイス
２１、５１　第１のシート
２２、５２　第２のシート
２３、５３　第１のインナー・シート
２４、５４　第２のインナー・シート
２５、５５　物品
２６、５６、５７、７２　スリット付穿孔
２７　穿孔
５８、６４　スパイン・デバイス
６０　文書バッグ
６２　リング・バインダ
７０　日記帳
【図１】
2004025541.tif 000003
【図２】
2004025541.tif 000004
【図３】
2004025541.tif 000005
【図４】
2004025541.tif 000006
【図５】
2004025541.tif 000007
【図６】
2004025541.tif 000008
【図７】
2004025541.tif 000009
【図８】
2004025541.tif 000010